【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
第１の基地局と、
第２の基地局と、
前記第１の基地局と異なる第３の基地局と、
ユーザ機器と、を備える無線通信システムにおいて、
前記第１の基地局及び前記第２の基地局は、異なるキャリアを介して前記ユーザ機器に無線データ接続され、
トリガノードは、前記第２の基地局から前記ユーザ機器に提供するデータ通信を前記第３の基地局に移行する予定移行条件を満足したと判定する場合に、移行過程をトリガし、これにより、前記ユーザ機器は前記第２の基地局との無線データ接続が解放され、前記第３の基地局との無線データ接続が確立され、元の前記第２の基地局に提供されるサービスの少なくとも一部は前記第３の基地局に移行され、
前記ユーザ機器が前記第３の基地局との前記無線データ接続の接続に失敗した場合、前記ユーザ機器は第１の接続失敗情報により前記第１の基地局に通知する、ことを特徴とする無線通信システム。
【請求項２】
前記ユーザ機器が第１の接続失敗情報により前記第１の基地局に通知した後、前記第１の基地局は、第２の接続失敗情報により前記第２の基地局および前記第３の基地局に通知し、前記第２の接続失敗情報は、前記ユーザ機器が前記第３の基地局との前記無線データ接続の接続に失敗したことを知らせる、請求項１に記載の無線通信システム。
【請求項３】
前記第１の基地局及び前記第３の基地局は異なるキャリアを介して前記ユーザ機器に無線データ接続される、請求項１に記載の無線通信システム。
【請求項４】
元の前記第２の基地局に提供される前記データ通信の一部は、前記第３の基地局に移行され、
前記移行過程は、元の前記第２の基地局に提供される前記データ通信の一部を前記第１の基地局にも移行させる、ことを特徴とする請求項１に記載の無線通信システム。
【請求項５】
前記トリガノードは、前記第１の基地局又は前記第２の基地局であることを特徴とする請求項１に記載の無線通信システム。
【請求項６】
前記トリガノードは、受信した前記第２の基地局のサービスキャリアに関する移動性測定結果により前記予定移行条件を満足したと判定する場合、前記第３の基地局に移行要求を送信し、前記第３の基地局は、前記移行要求により第１の受付制御を実行し、且つ前記第１の受付制御の結果を通知するように前記第１の基地局及び／又は第２の基地局に移行応答を送信し、前記移行応答は、前記第３の基地局が前記ユーザ機器のどの部分の無線ベアラに対して通信可能か、前記第３の基地局に対する同期アクセスに所要の専用プリアンブル、前記ユーザ機器と前記第３の基地局との通信キャリアのシステム情報、及び前記ユーザ機器と前記第３の基地局との通信を確立するための制御向けプロトコルの構成情報の中の少なくとも１つを含むことを特徴とする請求項１に記載の無線通信システム。
【請求項７】
前記第１、第２及び第３の基地局のデータが、前記移行過程をトリガする前及び終了した後に、何れもコアネットワークから直接にルーティングして来た場合、前記第２の基地局は、前記第３の基地局に受付可能な第１の無線ベアラのデータを前記第３の基地局にフォワーディングするように、第１の受付制御の結果によりデータフォワーディング操作を実行し、さらに、前記第１の基地局に受付可能な第２の無線ベアラのデータを前記第１の基地局にフォワーディングするように、第２の受付制御の結果によりデータフォワーディング操作を実行し、前記第１の基地局又は前記第２の基地局は、前記第２の無線ベアラに対応するパスを前記第１の基地局に切り替えることをコアネットワークに通知することを特徴とする請求項１に記載の無線通信システム。
【請求項８】
前記第２の基地局のデータが前記第１の基地局からフォワーディングされて来たものである場合、前記第１の基地局は、第１の受付制御の確認又は第２の受付制御を終了した後、前記第２の基地局へのデータ転送を停止し、
前記第２の基地局は、前記第３の基地局に受付可能な第１の無線ベアラのデータを前記第３の基地局にフォワーディングするように、前記第１の受付制御の結果により、データフォワーディング操作を実行し、前記第１の基地局に受付可能な第２の無線ベアラのデータを前記第１の基地局にフォワーディングするように、前記第２の受付制御の結果により、データフォワーディング操作を実行することを特徴とする請求項１に記載の無線通信システム。
【請求項９】
第１の基地局、第２の基地局、前記第１の基地局と異なる第３の基地局及びユーザ機器を備え、前記第１の基地局及び前記第２の基地局が異なるキャリアを介して前記ユーザ機器に無線データ接続される無線通信システムに用いる方法であって、
トリガノードにより、前記第２の基地局から前記ユーザ機器へ提供するデータ通信を前記第３の基地局に移行する予定移行条件を満足したか否かを判定する判定ステップと、
前記予定移行条件を満足したと判定する場合、移行過程をトリガし、これにより、前記ユーザ機器は前記第２の基地局との無線データ接続が解放され、前記第３の基地局との無線データ接続が確立され、前記第１の基地局及び前記第３の基地局は異なるキャリアを介して前記ユーザ機器に無線データ接続され、元の前記第２の基地局に提供されるサービスの少なくとも一部が前記第３の基地局に移行されるトリガステップと、を備え、
前記ユーザ機器が前記第３の基地局との前記無線データ接続の接続に失敗した場合、前記ユーザ機器は第１の接続失敗情報により前記第１の基地局に通知する、ことを特徴とする方法。
【請求項１０】
前記ユーザ機器が第１の接続失敗情報により前記第１の基地局に通知した後、前記第１の基地局は、第２の接続失敗情報により前記第２の基地局および前記第３の基地局に通知し、前記第２の接続失敗情報は、前記ユーザ機器が前記第３の基地局との前記無線データ接続の接続に失敗したことを知らせる、請求項９に記載の方法。
【請求項１１】
前記トリガノードは、受信した前記第２の基地局のサービスキャリアに関する移動性測定結果により、前記予定移行条件を満足したと判定する場合、前記第３の基地局に移行要求を送信し、前記第３の基地局は、前記移行要求により、第１の受付制御を実行し、且つ前記第１の受付制御の結果を通知するように移行応答を前記第１の基地局及び／又は第２の基地局に送信し、前記移行応答は、前記第３の基地局が前記ユーザ機器のどの部分の無線ベアラに対して通信可能か、前記第３の基地局に対する同期アクセスに所要の専用プリアンブル、前記ユーザ機器と前記第３の基地局との通信キャリアのシステム情報、及び前記ユーザ機器と前記第３の基地局との間の通信を確立するための制御向けプロトコルの構成情報の中の少なくとも１つを含むことを特徴とする請求項９に記載の方法。
【請求項１２】
第１の基地局と、第２の基地局と、前記第１の基地局と異なる第３の基地局と、を有する通信システムにおけるユーザ機器であって、
前記第１の基地局及び前記第２の基地局は、異なるキャリアを介して前記ユーザ機器に無線データ接続され、
トリガノードは、前記第２の基地局から前記ユーザ機器に提供するデータ通信を前記第３の基地局に移行する予定移行条件を満足したと判定する場合に、移行過程をトリガし、これにより、前記ユーザ機器は前記第２の基地局との無線データ接続が解放され、前記第３の基地局との無線データ接続が確立され、元の前記第２の基地局に提供されるサービスの少なくとも一部は前記第３の基地局に移行され、前記第１の基地局及び前記第３の基地局は異なるキャリアを介して前記ユーザ機器に無線データ接続され、
前記ユーザ機器が前記第３の基地局との前記無線データ接続の接続に失敗した場合、前記ユーザ機器は第１の接続失敗情報により前記第１の基地局に通知する、ユーザ機器。
【請求項１３】
前記ユーザ機器が第１の接続失敗情報により前記第１の基地局に通知した後、前記第１の基地局は、第２の接続失敗情報により前記第２の基地局および前記第３の基地局に通知し、前記第２の接続失敗情報は、前記ユーザ機器が前記第３の基地局との前記無線データ接続の接続に失敗したことを知らせる、請求項１２に記載のユーザ機器。
【請求項１４】
第１の基地局と、第２の基地局と、前記第１の基地局と異なる第３の基地局と、ユーザ機器と、を有する通信システムにおける基地局であって、
前記第１の基地局及び前記第２の基地局は、異なるキャリアを介して前記ユーザ機器に無線データ接続され、
トリガノードは、前記第２の基地局から前記ユーザ機器に提供するデータ通信を前記第３の基地局に移行する予定移行条件を満足したと判定する場合に、移行過程をトリガし、これにより、前記ユーザ機器は前記第２の基地局との無線データ接続が解放され、前記第３の基地局との無線データ接続が確立され、元の前記第２の基地局に提供されるサービスの少なくとも一部は前記第３の基地局に移行され、前記第１の基地局及び前記第３の基地局は異なるキャリアを介して前記ユーザ機器に無線データ接続され、
前記ユーザ機器が前記第３の基地局との前記無線データ接続の接続に失敗した場合、前記ユーザ機器は第１の接続失敗情報により前記第１の基地局に通知し、
前記基地局は、前記第１の基地局、前記第２の基地局および前記第３の基地局のうちのいずれかとして動作するように構成される、基地局。
【請求項１５】
前記ユーザ機器が第１の接続失敗情報により前記第１の基地局に通知した後、前記第１の基地局は、第２の接続失敗情報により前記第２の基地局および前記第３の基地局に通知し、前記第２の接続失敗情報は、前記ユーザ機器が前記第３の基地局との前記無線データ接続の接続に失敗したことを知らせる、請求項１４に記載の基地局。
【手続補正２】
【補正対象書類名】明細書
【補正対象項目名】発明の名称
【補正方法】変更
【補正の内容】
【発明の名称】無線通信システム、方法、ユーザ機器および基地局